(57)【要約】【課題】外部からの電力供給が中断したときに、モータの惰性回転に伴う回生電力を用いて、メモリにデータを退避させたり、事故が生じない状態を設定したりする。【解決手段】商用交流電源７４からの交流電力の供給が中断すると、これを検出して、スイッチ９１をオフにしているので、モータ８５の回生電力を多くの電子部品のうちからＥＥＰＲＯＭ基板８２及高圧基板８３へと優先的に供給することができ、モータ８５の惰性回転に伴う回生電力の供給量が少なく、回生電力の供給時間が短くても、この回生電力を有効利用することができる。また、放電電力を供給する電解コンデンサ９５を小型化することができる。【選択図】図３
2012078718.tif 000002
【特許請求の範囲】
【請求項１】
外部からの電力供給を受けて動作する複数の電子部品及びモータを備える画像形成装置であって、
前記外部からの電力供給が中断されたことを検出する検出部と、
前記検出部により前記外部からの電力供給の中断が検出されると、前記モータの惰性回転に伴う回生電力を前記各電子部品の少なくとも１つに優先的に供給する回生電力供給部とを備えたことを特徴とする画像形成装置。
【請求項２】
請求項１に記載の画像形成装置であって、
前記回生電力供給部は、前記モータの回生電力を前記各電子部品へと供給するそれぞれのラインに挿入された複数のスイッチと、前記検出部により前記外部からの電力供給の中断が検出されると、前記各スイッチを選択的にオンオフする制御部とを備えたことを特徴とする画像形成装置。
【請求項３】
請求項１〜２のいずれか１つに記載の画像形成装置であって、
前記回生電力供給部は、前記モータの回生電力が供給されている電子部品の動作状態に応じて前記回生電力の供給を停止することを特徴とする画像形成装置。
【請求項４】
請求項１〜３のいずれか１つに記載の画像形成装置であって、
前記電子部品は、高電圧を生成する高圧基板であり、
前記回生電力供給部は、前記外部からの電力供給の中断が検出されると、前記モータの回生電力を前記高圧基板に一定時間供給することを特徴とする画像形成装置。
【請求項５】
請求項１〜４のいずれか１つに記載の画像形成装置であって、
前記モータは、前記画像形成装置における光ビームを反射して偏向するポリゴンミラーを回転させることを特徴とする画像形成装置。
【請求項６】
外部からの電力供給を受けて動作する複数の電子部品及びモータを備える電子機器であって、
前記外部からの電力供給が中断されたことを検出する検出部と、
前記検出部により前記外部からの電力供給の中断が検出されると、前記モータの惰性回転に伴う回生電力を前記各電子部品の少なくとも１つに優先的に供給する回生電力供給部とを備えたことを特徴とする電子機器。
【発明の詳細な説明】
【技術分野】
【０００１】
本発明は、外部からの電力供給を受けて動作する複数の電子部品及びモータを備える画像形成装置及び電子機器に関する。
【背景技術】
【０００２】
例えば、画像形成装置は、光走査装置、感光体ドラム、中間転写装置、現像装置、帯電装置、定着装置、及び記録用紙の搬送装置等を備えており、多数の電子部品やモータ等で構成され、商用交流電源からの電力供給を受けて動作する。
【０００３】
このような画像形成装置においては、電源コードの不用意な取り外しや停電等で外部からの電力供給が中断して、その動作が直ちに停止すると、データの消失や電圧の急激な変化による事故等が発生する可能性がある。このため、外部からの供給電力により大容量の電解コンデンサを充電しておき、外部からの電力供給が中断したときには、その電解コンデンサの放電電力を用いて、メモリにデータを退避させたり、事故が生じない状態を設定したりしている。
【０００４】
一方、特許文献１、２では、画像形成装置のモータの回転軸が惰性回転するときに、このモータから回生電力を取り出して利用し、電力の節減を図っている。
【先行技術文献】
【特許文献】
【０００５】
【特許文献１】特開２００５−２７８３４８号公報
【特許文献２】特開２００９−２９４３８０号公報
【発明の概要】
【発明が解決しようとする課題】
【０００６】
しかしながら、従来のように大容量の電解コンデンサを設ける場合は、その設置スペースが広く、これが装置の小型化の妨げとなった。また、使用頻度が極めて少ないため、電解コンデンサを小型化もしくは省略するのが好ましい。
【０００７】
また、特許文献１、２のようなモータの惰性回転に伴う回生電力は、外部からの電力供給の不用意な中断の後では、その供給量が少なく、その供給時間も短いことから、大容量の電解コンデンサの放電電力の代わりに用いることは試みられていなかった。
【０００８】
尚、多数の電子部品やモータ等で構成され、商用交流電源からの電力供給を受けて動作する他の種類の電子機器についても、画像形成装置と同様のことがいえる。
【０００９】
そこで、本発明は、上記課題を解決するためになされたものであり、外部からの電力供給が中断したときに、モータの惰性回転に伴う回生電力を用いて、メモリにデータを退避させたり、事故が生じない状態を設定したりすることが可能な画像形成装置及び電子機器を提供することを目的とする。
【課題を解決するための手段】
【００１０】
上記課題を解決するために、本発明の画像形成装置は、外部からの電力供給を受けて動作する複数の電子部品及びモータを備える画像形成装置であって、前記外部からの電力供給が中断されたことを検出する検出部と、前記検出部により前記外部からの電力供給の中断が検出されると、前記モータの惰性回転に伴う回生電力を前記各電子部品の少なくとも１つに優先的に供給する回生電力供給部とを備えている。
【００１１】
このような本発明の画像形成装置では、外部からの電力供給の中断が検出されると、モータの惰性回転に伴う回生電力を各電子部品の少なくとも１つに優先的に供給している。これにより回生電力の消費量が節減され、回生電力の供給量が少なく、回生電力の供給時間が短くても、回生電力によりデータの消失や電圧の急激な変化による事故等の発生を未然に防止することができる。
【００１２】
また、外部からの電力供給が中断したときに放電して、放電電力を供給する電解コンデンサを小型化したり省略したりすることができる。
【００１３】
尚、電子部品とは、半導体素子、ディスプレイ等の能動部品、抵抗、リレー、ヒーター等の受動部品、基板、スイッチ、ライン等の機能部品の総称である。また、モータは、電子部品の一種類であるが、説明の便宜上、電子部品と区別している。
【００１４】
また、本発明の画像形成装置においては、前記回生電力供給部は、前記モータの回生電力を前記各電子部品へと供給するそれぞれのラインに挿入された複数のスイッチと、前記検出部により前記外部からの電力供給の中断が検出されると、前記各スイッチを選択的にオンオフする制御部とを備えている。
【００１５】
このような各スイッチの選択的なオンオフにより、回生電力を各電子部品の少なくとも１つに優先的に供給することができる。
【００１６】
更に、本発明の画像形成装置においては、前記回生電力供給部は、前記モータの回生電力が供給されている電子部品の動作状態に応じて前記回生電力の供給を停止している。
【００１７】
例えば、データの消失を防止する場合は、メモリに対するデータの退避が終了したときに回生電力の供給を停止する。これにより、回生電力の無駄な消費を抑制することができる。
【００１８】
また、本発明の画像形成装置においては、前記電子部品は、高電圧を生成する高圧基板であり、前記回生電力供給部は、前記外部からの電力供給の中断が検出されると、前記モータの回生電力を前記高圧基板に一定時間供給している。
【００１９】
このような回生電力が高圧基板に供給される一定時間とは、高電圧の急激な変化による事故が生じない状態を設定するのに要する時間である。
【００２０】
更に、本発明の画像形成装置においては、前記モータは、前記画像形成装置における光ビームを反射して偏向するポリゴンミラーを回転させている。
【００２１】
ポリゴンミラーがモータの回転軸に直接固定されるため、モータの負荷が小さく、外部からの電力供給が中断した後でも、モータの回転軸の回転が持続し易い。また、ポリゴンミラーの慣性質量によりモータの回転軸が惰性回転し易く、モータの惰性回転に伴う回生電力の供給量が多くかつ供給時間が長く、回生電力が利用し易い。
【００２２】
一方、本発明の電子機器は、外部からの電力供給を受けて動作する複数の電子部品及びモータを備える電子機器であって、前記外部からの電力供給が中断されたことを検出する検出部と、前記検出部により前記外部からの電力供給の中断が検出されると、前記モータの惰性回転に伴う回生電力を前記各電子部品の少なくとも１つに優先的に供給する回生電力供給部とを備えている。
【００２３】
このような本発明の電子機器においても、上記本発明の画像形成装置と同様の作用効果を奏する。
【発明の効果】
【００２４】
本発明では、外部からの電力供給の中断が検出されると、モータの惰性回転に伴う回生電力を各電子部品の少なくとも１つに優先的に供給している。これにより回生電力の消費量が節減され、回生電力の供給量が少なく、回生電力の供給時間が短くても、回生電力によりデータの消失や電圧の急激な変化による事故等の発生を未然に防止することができる。
【００２５】
また、外部からの電力供給が中断したときに放電して、放電電力を供給する電解コンデンサを小型化したり省略したりすることができる。
【図面の簡単な説明】
【００２６】
【図１】本発明の画像形成装置の一実施形態を示す断面図である。
【図２】図１の画像形成装置における感光体ドラム周辺を拡大して概略的に示す図である。
【図３】図１の画像形成装置の構成を示すブロック図である。
【図４】モータの惰性回転に伴う回生電力を利用するための制御過程を示すフローチャートである。
【図５】図３の選択スイッチがオフとなった状態を示す図である。
【図６】図３の１つの停止スイッチがオフとなった状態を示す図である。
【発明を実施するための形態】
【００２７】
以下、本発明の実施形態を添付図面を参照して詳細に説明する。
【００２８】
図１は、本発明の画像形成装置の一実施形態を示す断面図である。この画像形成装置１は、スキャナ機能、複写機能、プリンター機能、及びファクシミリ機能等を有する所謂複合機であり、画像読取り装置４１により読取られた原稿の画像を外部に送信したり、この読取られた原稿の画像又は外部から受信した画像をカラーもしくは単色で記録用紙に記録形成したりする。
【００２９】
画像形成装置１は、画像を記録用紙に印刷するべく、光走査装置１１、現像装置１２、感光体ドラム１３、ドラムクリーニング装置１４、帯電器１５、中間転写ベルト装置１６、定着装置１７、用紙搬送経路Ｓ、給紙トレイ１８、及び用紙排出トレイ１９等を備えている。
【００３０】
画像形成装置１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、現像装置１２、感光体ドラム１３、ドラムクリーニング装置１４、及び帯電器１５は、各色に応じた４種類のトナー像を形成するようにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００３１】
各感光体ドラム１３は、それらの表面に光感光層を有している。各帯電器１５は、それぞれの感光体ドラム１３の表面を所定の電位に均一に帯電させるための帯電手段であり、接触型であるローラ型やブラシ型の帯電器のほか、チャージャー型の帯電器が用いられる。
【００３２】
光走査装置１１は、レーザダイオード及び反射ミラーを備えたレーザスキャニングユニット（ＬＳＵ）であり、帯電された各感光体ドラム１３表面を画像データに応じて露光して、それらの表面に画像データに対応する静電潜像を形成する。
【００３３】
各現像装置１２は、それぞれの感光体ドラム１３表面に形成された静電潜像を各色のトナーにより現像し、これらの感光体ドラム１３表面にトナー像を形成する。各ドラムクリーニング装置１４は、現像及び画像転写後にそれぞれの感光体ドラム１３表面に残留したトナーを除去及び回収する。
【００３４】
中間転写ベルト装置１６は、各感光体ドラム１３の上方に配置されており、中間転写ベルト２１、中間転写ベルト駆動ローラ２２、従動ローラ２３、４つの中間転写ローラ２４、及びベルトクリーニング装置２５を備えている。
【００３５】
中間転写ベルト２１は、フィルムを無端ベルト状に形成したものである。中間転写ベルト駆動ローラ２２、従動ローラ２３、各中間転写ローラ２４等は、中間転写ベルト２１を張架して支持し、中間転写ベルト２１を矢印Ｃ方向に周回移動させる。
【００３６】
各中間転写ローラ２４は、中間転写ベルト２１近傍に回転可能に支持され、中間転写ベルト２１を介してそれぞれの感光体ドラム１３に押圧されている。各感光体ドラム１３表面のトナー像が中間転写ベルト２１に順次重ねて転写されて、中間転写ベルト２１上にカラーのトナー像（各色のトナー像）が形成される。各感光体ドラム１３から中間転写ベルト２１へのトナー像の転写は、中間転写ベルト２１裏面に圧接されている各中間転写ローラ２４によって行われる。各中間転写ローラ２４には、トナー像を転写するために高電圧の転写バイアス（トナーの帯電極性（−）とは逆極性（＋）の高電圧）が印加されており、その導電性の弾性材により高電圧が記録用紙に対して均一に印加される。
【００３７】
こうして各感光体ドラム１３表面のトナー像は、中間転写ベルト２１で転写積層され、画像データによって示されるカラーのトナー像となる。このカラーのトナー像は、中間転写ベルト２１と共に搬送され、中間転写ベルト２１と二次転写装置２６の転写ローラ２６ａ間のニップ域で記録用紙上に転写される。
【００３８】
二次転写装置２６の転写ローラ２６ａには、中間転写ベルト２１上のカラーのトナー像を記録用紙に転写させるための電圧（トナーの帯電極性（−）とは逆極性（＋）の高電圧）が印加されている。
【００３９】
また、二次転写装置２６によって中間転写ベルト２１上のトナー像が記録用紙上に完全に転写されず、中間転写ベルト２１表面にトナーが残留することがあり、この残留トナーが次工程でトナーの混色を発生させる原因となる。このため、ベルトクリーニング装置２５によって中間転写ベルト２１表面の残留トナーを除去及び回収する。
【００４０】
記録用紙は、中間転写ベルト２１と二次転写装置２６の転写ローラ２６ａ間のニップ域でカラーのトナー像を転写された後、定着装置１７へと搬送される。定着装置１７は、加熱ローラ３１及び加圧ローラ３２等を備えており、加熱ローラ３１と加圧ローラ３２間に記録用紙を挟み込んで搬送する。
【００４１】
加熱ローラ３１は、図示しない温度検出器の検出出力に基づき、所定の定着温度となるように制御されており、加圧ローラ３２と共に記録用紙を熱圧着することにより、記録用紙に転写されたカラーのトナー像を溶融、混合、圧接し、記録用紙に対して熱定着させる。
【００４２】
また、画像形成装置１の下部には、記録用紙を供給する給紙トレイ１８が設けられている。画像形成装置１には、給紙トレイ１８から供給された記録用紙を二次転写装置２６や定着装置１７を経由させて用紙排出トレイ１９に送るための、用紙搬送経路Ｓが設けられている。
【００４３】
給紙トレイ１８の端部には用紙ピックアップローラ３３が設けられており、この用紙ピックアップローラ３３により給紙トレイ１８から記録用紙が１枚ずつ引き出されて用紙搬送経路Ｓへと搬送される。
【００４４】
用紙搬送経路Ｓに沿って、用紙レジストローラ３４、定着装置１７、搬送ローラ３５、及び排紙ローラ３６等が配置されている。搬送ローラ３５は、記録用紙の搬送を促進補助するための小型のローラであり、複数組設けられている。
【００４５】
用紙レジストローラ３４は、搬送されて来た記録用紙を一旦停止させて、記録用紙の先端を揃え、中間転写ベルト２１と二次転写装置２６の転写ローラ２６ａ間のニップ域で中間転写ベルト２１上のカラーのトナー像が記録用紙に転写されるように、各感光体ドラム１３及び中間転写ベルト２１の回転にあわせて、記録用紙をタイミングよく搬送する。
【００４６】
更に、記録用紙は、定着装置１７でカラーのトナー像を定着され、定着装置１７を通過した後、排紙ローラ３６によって用紙排出トレイ１９上にフェイスダウンで排出される。
【００４７】
また、記録用紙の表面だけではなく、裏面の印字を行う場合は、記録用紙を排紙ローラ３６により搬送する途中で、排紙ローラ３６を停止させてから逆回転させ、記録用紙を反転経路Ｓｒに通して、記録用紙の表裏を反転させ、記録用紙を用紙レジストローラ３４へと導き、記録用紙の表面と同様に、記録用紙の裏面に画像を記録して定着し、記録用紙を用紙排紙トレイ１９に排出する。
【００４８】
次に、画像形成装置１の本体上部に搭載されている画像読取り装置４１及び原稿搬送装置４２について説明する。原稿搬送装置４２は、その奥一辺をヒンジ（図示せず）により画像読取り装置４１の奥一辺に枢支され、その手前部分を上下させることにより開閉される。原稿搬送装置４２が開かれたときには、画像読取り装置４１のプラテンガラス４４が開放され、このプラテンガラス４４上に原稿が載置される。
【００４９】
画像読取り装置４１は、プラテンガラス４４、第１走査ユニット４５、第２走査ユニット４６、結像レンズ４７、及びＣＣＤ（Charge Coupled Device）４８等を備えている。第１走査ユニット４５は、光源５１及び第１反射ミラー５２を備えており、副走査方向に原稿サイズに応じた距離だけ一定速度Ｖで移動しながら、プラテンガラス４４上の原稿を光源５１によって露光し、その反射光を第１反射ミラー５２により反射して第２走査ユニット４６へと導き、これにより原稿表面の画像を副走査方向に走査する。第２走査ユニット４６は、第２及び第３反射ミラー５３、５４を備えており、第１走査ユニット４５に追従して速度Ｖ／２で移動しつつ、原稿からの反射光を第２及び第３反射ミラー５３、５４により反射して結像レンズ４７へと導く。結像レンズ４７は、原稿からの反射光をＣＣＤ４８に集光して、原稿表面の画像をＣＣＤ４８上に結像させる。ＣＣＤ４８は、原稿の画像を繰り返し主走査方向に走査し、その度に、１主走査ラインのアナログ画像信号を出力する。
【００５０】
また、画像読取り装置４１は、静止原稿だけではなく、原稿搬送装置４２により搬送されている原稿表面の画像を読取ることができる。この場合は、第１走査ユニット４５を原稿読取りガラス５５下方の読取り範囲に移動させ、第１走査ユニット４５の位置に応じて第２走査ユニット４６を位置決めし、この状態で、原稿搬送装置４２による原稿の搬送を開始する。
【００５１】
原稿搬送装置４２では、ピックアップローラ５６を原稿トレイ５７上の原稿に押し当て回転させて、原稿を引き出し、原稿を原稿搬送路５８を通じて搬送し、原稿を原稿読取りガラス５５と読取りガイド板５９間に通過させ、更に原稿を排紙ローラ６１から排紙トレイ６２へと搬送する。原稿搬送路５８に沿って、原稿をその先端を揃えてから搬送するレジストローラ６３や、原稿を搬送する搬送ローラ６４が配置されている。
【００５２】
この原稿の搬送に際し、第１走査ユニット４５の光源５１により原稿表面を原稿読取りガラス５５を介して照明し、原稿表面からの反射光を第１及び第２走査ユニット４５、４６の各反射ミラーにより結像レンズ４７へと導き、原稿表面からの反射光を結像レンズ４７によりＣＣＤ４８に集光させ、原稿表面の画像をＣＣＤ４８上に結像させ、これにより原稿表面の画像を読取る。
【００５３】
また、原稿の裏面を読取る場合は、中間トレイ６７をその軸周りで点線で示すように回転させておき、原稿を排紙ローラ６１から排紙トレイ６２へと排出する途中で、排紙ローラ６１を停止させて、原稿を中間トレイ６７上に受け、排紙ローラ６１を逆回転させて、原稿を反転搬送路６８を介してレジストローラ６３へと導いて、原稿の表裏を反転させ、原稿表面の画像と同様に、原稿裏面の画像を読取り、中間トレイ６７を実線で示す元の位置に戻して、原稿を排紙ローラ６１から排紙トレイ６２へと排出する。
【００５４】
こうしてＣＣＤ４８により読取られた原稿の画像は、ＣＣＤ４８からアナログ画像信号として出力され、このアナログ画像信号がデジタル画像信号（画像データ）にＡ／Ｄ変換される。そして、この画像データは、種々の画像処理を施されて画像形成装置１の光走査装置１１へと送受され、画像形成装置１において画像が記録用紙に記録され、この記録用紙が複写原稿として出力される。
【００５５】
ところで、画像形成装置１は、多数の電子部品やモータ等で構成され、商用交流電源からの電力供給を受けて動作するが、電源コードの不用意な取り外しや停電等で外部からの電力供給が中断して、その動作が直ちに停止すると、データの消失や高電圧の急激な変化による事故等が発生する可能性がある。例えば、画像形成装置１においては、各種の制御情報をＥＥＰＲＯＭに記憶したり、ＥＥＰＲＯＭ内の制御情報を書き換えて更新したりしているが、ＥＥＰＲＯＭの書き換え動作中に外部からの電力供給が中断すると、制御情報が消失する可能性がある。
【００５６】
また、感光体ドラム１３周辺の高電圧が急激に変化すると、トナーだけではなく、トナーに混合されたキャリアも感光体ドラム１３に付着して、感光体ドラム１３や中間転写ベルト２１が汚れたり傷付いたりすることがある。例えば、図２に示すように帯電器１５により感光体ドラム１３表面を−６００Ｖに帯電させ、光走査装置１１の光ビームにより感光体ドラム１３表面を走査して、感光体ドラム１３表面に静電潜像（−５０Ｖ）を形成し、現像装置１２の現像ローラ１２ａに−４５０Ｖのバイアス電圧を印加して、現像ローラ１２ａ表面から感光体ドラム１３表面のより高電位の静電潜像へとトナーを転移させ、感光体ドラム１３表面にトナー像を形成している。ここで、外部からの電力供給が中断したとすると、現像装置１２の現像ローラ１２ａのバイアス電圧が０Ｖに直ちに低下するが、現像ローラ１２ａ直前の感光体ドラム１３表面が−６００Ｖに帯電したままである。この状態で、感光体ドラム１３が惰性で回転すると、感光体ドラム１３表面の電位−６００Ｖと現像ローラ１２ａのバイアス電圧０Ｖとの差が非常に大きいため、トナーだけではなく、トナーに混合されたキャリアも感光体ドラム１３表面に転移する。そして、外部からの電力供給が再開されたときには、感光体ドラム１３が回転して、感光体ドラム１３表面のキャリアが中間転写ベルト２１に転移し付着する。この結果、感光体ドラム１３や中間転写ベルト２１が汚れたり傷付いたりする。
【００５７】
そこで、本実施形態では、外部からの電力供給が中断したときに、モータの惰性回転に伴う回生電力を利用して、メモリにデータを退避させたり、事故が生じない状態を設定したりしている。
【００５８】
図３は、そのようなモータの惰性回転に伴う回生電力を利用するための構成を例示するブロック図である。図３において、制御部７１は、画像形成装置１を統合的に制御する。例えば、制御部７１は、光走査装置１１、現像装置１２、帯電器１５、中間転写ベルト装置１６、定着装置１７、画像読取り装置４１、及び原稿搬送装置４２を制御し、原稿画像を読取って記録用紙に記録するという複写を行う。
【００５９】
主電源７２は、電源コード７３を通じて商用交流電源７４に接続され、商用交流電源７４から交流電力の供給を受け、この交流電力を規定電圧の直流電力に変換し、この直流電力を電源ライン７５ａ〜７５ｈを通じて複数の電子部品やモータに供給する。交流電力検出部７６は、商用交流電源７４からの交流電力の供給の有無を検出し、交流電力の供給が中断すると、この中断を検出して、この中断を示す検出出力を制御部７１に出力する。
【００６０】
電子部品としては、電気回路基板８１、各種の制御データを記憶するＥＥＰＲＯＭ８２、及び帯電器１５の帯電電圧（−６００Ｖ）や現像装置１２の現像ローラ１２ａのバイアス電圧（−４５０Ｖ）を設定する高圧基板８３等がある。また、モータとしては、感光体ドラム１３等を回転駆動するモータ８４、及び光走査装置１１のポリゴンミラーを回転駆動するモータ８５等がある。
【００６１】
電子部品とは、半導体素子、ディスプレイ等の能動部品、抵抗、リレー、ヒーター等の受動部品、基板、及びスイッチ、ライン等の機能部品に対しての総称である。また、モータは、電子部品の一種類であるが、説明の便宜上、電子部品と区別している。
【００６２】
各電源ライン７５ａ、７５ｂの間には選択スイッチ９１が挿入されている。また、各電源ライン７５ｇ、７５ｈにはそれぞれの停止スイッチ９２、９３が挿入されている。選択スイッチ９１及び各停止スイッチ９２、９３のいずれも常閉接点であり、制御部７１により開成される。
【００６３】
各電源ライン７５ａ、７５ｂには、それぞれの電解コンデンサ９４、９５が接続されている。これらの電解コンデンサ９４、９５は、主電源７２からの電力供給時に充電され、電源コードの不用意な取り外しや停電等で商用交流電源７４からの電力供給が中断したときに（主電源７２からの電力供給が中断したときに）、電力を一時的に放電して電子部品やモータに供給する。
【００６４】
モータ８５は、ブラシレスＤＣモータであり、ポリゴンミラーを回転駆動するだけではなく、商用交流電源７４からの電力供給が中断したときに（主電源７２からの電力供給が中断したときに）、その惰性回転に伴う回生電力を出力して電子部品に供給する。
【００６５】
ポリゴンミラーがモータ８５の回転軸に直接固定されるため、モータ８５の負荷が小さく、外部からの電力供給が中断した後でも、モータ８５の回転軸の回転が持続する。仮に、モータ８５の回転軸の回転をギア等を介してポリゴンミラーに伝達した場合は、モータ８５の負荷が大きくなり、外部からの電力供給が中断した直後にモータ８５が停止してしまう。
【００６６】
また、ポリゴンミラーは、アルミ材等の削り出しにより作製され、その慣性質量が大きく、このため外部からの電力供給が中断した後でも、ポリゴンミラーに直結されたモータ８５の回転軸の惰性回転が長く継続し、モータ８５の惰性回転に伴う回生電力の供給量が多くかつ供給時間が長く、回生電力が利用し易い。
【００６７】
次に、図４のフローチャートを参照しつつ、モータの惰性回転に伴う回生電力を利用するための制御部７１による制御過程を説明する。
【００６８】
まず、画像形成装置１が商用交流電源７４からの交流電力の供給を受けて稼動中であったとすると、選択スイッチ９１及び各停止スイッチ９２、９３が閉じられたままであり、各電子部品やモータに電力が供給される（ステップＳ１０１）。また、各電解コンデンサ９４、９５が充電される。このとき、制御部７１は、交流電力検出部７６の検出出力に基づき商用交流電源７４からの交流電力の供給が中断されていないと判定する（ステップＳ１０２で「Ｎｏ」）。この場合、各ステップＳ１０１、１０２が繰り返される。
【００６９】
また、電源コード７３の不用意な取り外しや停電等で、商用交流電源７４からの交流電力の供給が中断すると、交流電力検出部７６により交流電力の供給の中断が検出される。そして、制御部７１は、交流電力検出部７６の検出出力に基づき商用交流電源７４からの交流電力の供給が中断したと判定し（ステップＳ１０２で「Ｙｅｓ」）、この中断の判定をなすと、図５に示すようにスイッチ９１をオフにして開成させる（ステップＳ１０３）。これにより、電源ライン７５ｂが各電源ライン７５ａ、７５ｃ、７５ｄから切り離される。
【００７０】
このとき、モータ８５は、先に述べたようにポリゴンミラーの慣性質量により惰性回転し、回生電力を生成して電源ライン７５ｂに送出する。この回生電力は、スイッチ９１が開成されていることから各電源ライン７５ａ、７５ｃ、７５ｄに伝送されず、各電源ライン７５ｅ、７５ｇ、７５ｈに伝送され、制御部７１、ＥＥＰＲＯＭ基板８２、及高圧基板８３へと供給される。同時に、電解コンデンサ９５の放電電力も、各電源ライン７５ｅ、７５ｇ、７５ｈに伝送され、制御部７１、ＥＥＰＲＯＭ基板８２、及高圧基板８３へと供給される。このため、制御部７１、ＥＥＰＲＯＭ基板８２、及高圧基板８３は、モータ８５が停止して、回生電力の供給が停止し、かつ電解コンデンサ９５の放電電力が尽きるまで、それらの動作を継続する。
【００７１】
また、モータ８５の回生電力が各電源ライン７５ａ、７５ｃ、７５ｄに伝送されないものの、電解コンデンサ９４が各電源ライン７５ａ、７５ｃ、７５ｄに接続されているので、電解コンデンサ９４の放電電力が尽きるまで、その放電電力が電気回路基板８１やモータ８４に供給される。
【００７２】
従って、商用交流電源７４からの交流電力の供給が中断したときには、スイッチ９１の開成により、モータ８５の回生電力が電気回路基板８１やモータ８４よりも制御部７１、ＥＥＰＲＯＭ基板８２、及高圧基板８３に優先的に供給されることになる。
【００７３】
この状態で、制御部７１は、ＥＥＰＲＯＭ８２の書込み完了フラッグを監視し、書込み完了フラッグがオンになると、ＥＥＰＲＯＭ８２の書込みが完了したとみなして、図６に示すように停止スイッチ９２をオフにして開成させ、ＥＥＰＲＯＭ８２への回生電力並びに放電電力の供給を停止する（ステップＳ１０４）。これにより、商用交流電源７４からの交流電力の供給中断時にＥＥＰＲＯＭ８２に対するデータの書込みが行われていても、この書込みを正常に終了させることができ、書込み途中のデータの消失を防止することができる。また、書込みが完了したときには、ＥＥＰＲＯＭ８２への回生電力の供給を停止しているので、高圧基板８３（他の電子部品）に対する回生電力の供給量が増え、高圧基板８３のより長い動作が可能になる。
【００７４】
また、制御部７１は、商用交流電源７４からの交流電力の供給中断時点からの経過時間を計時し、この経過時間が一定時間に達すると、高電圧の急激な変化による事故が生じない状態が設定されたとみなして、停止スイッチ９３をオフにして開成させ、高圧基板８３への回生電力並びに放電電力の供給を停止する（ステップＳ１０４）。
【００７５】
ここで、制御部７１は、商用交流電源７４からの交流電力の供給が中断しても、停止スイッチ９３のオンを維持して、高圧基板８３への電力供給を継続させ、図２に示すように帯電器１５による感光体ドラム１３表面の帯電電位−６００Ｖを維持しかつ現像装置１２の現像ローラ１２ａのバイアス電圧を−４５０Ｖに維持し、この状態で待機する。そして、交流電力の供給中断時点から一定時間が経過すると、感光体ドラム１３が停止するので、停止スイッチ９３をオフにする。このとき、現像ローラ１２ａの電圧が−４５０Ｖから０Ｖに変化するが、現像ローラ１２ａと対峙する感光体ドラム１３表面部位の電位も変化し、先に述べたようにトナーに混合されたキャリアが現像ローラ１２ａから感光体ドラム１３表面へと転移することはない。
【００７６】
このように本実施形態では、交流電力検出部７６により交流電力の供給の中断が検出されと、制御部７１によりスイッチ９１をオフにして開成させ、モータ８５の回生電力を制御部７１、ＥＥＰＲＯＭ基板８２、及高圧基板８３に優先的に供給しており、制御部７１及びスイッチ９１により回生電力を優先供給するための回生電力供給部を構成している。このため、モータ８５の惰性回転に伴う回生電力の供給量が少なく、回生電力の供給時間が短くても、この回生電力を有効利用することができる。また、放電電力を供給する電解コンデンサ９５を小型化することができる。更に、ＥＥＰＲＯＭ８２の書込みが完了すると、停止スイッチ９２をオフにしているので、高圧基板８３（他の電子部品）に対する回生電力の供給量が増え、高圧基板８３のより長い動作が可能になる。
【００７７】
以上、本発明の実施形態を詳述したが、本発明は、上記実施形態に限定されるものではなく、本発明の要旨を逸脱しない範疇の設計変更等が施されたものであっても、本発明の範囲に含まれる。
【００７８】
例えば、モータ８５の回生電力の供給量や供給時間が充分であれば、電解コンデンサ９５を省略してもよい。また、回生電力を利用するのに適した複数のモータが存在する場合は、これらのモータの回生電力を全て利用することができるような電源ラインの配線及びスイッチの挿入位置を設定すればよい。
【００７９】
また、本発明は、画像形成装置に限定されるものではなく、外部からの電力供給を受けて動作する複数の電子部品及びモータを備える電子機器を包含する。
【符号の説明】
【００８０】
１  画像形成装置
１１  光走査装置
１２  現像装置
１３  感光体ドラム
１４  ドラムクリーニング装置
１５  帯電器
１６  中間転写ベルト装置
１７  定着装置
１８  給紙トレイ
１９  用紙排出トレイ
２１  中間転写ベルト
２６  二次転写装置
２６ａ  転写ローラ
４１  画像読取り装置
４２  原稿搬送装置
７１  制御部
７２  主電源
７３  電源コード
７４  商用交流電源
７５ａ〜７５ｈ  電源ライン
７６  交流電力検出部（検出部）
８１  電気回路基板
８２  ＥＥＰＲＯＭ
８３  高圧基板
８４、８５  モータ
９１  選択スイッチ
９２、９３  停止スイッチ
９４、９５  電解コンデンサ
【図１】
2012078718.tif 000003
【図２】
2012078718.tif 000004
【図３】
2012078718.tif 000005
【図４】
2012078718.tif 000006
【図５】
2012078718.tif 000007
【図６】
2012078718.tif 000008